(57)【要約】【課題】施工性がよく、コストも低くできるとともに、見栄えもよいフェンス。【解決手段】設置面１に立設された支柱２のうち隣り合う支柱２の相対する側面に、その長手方向に沿って格子取付部材６を固定し、該格子取付部材６から上記隣り合う支柱２の正面側に同一面をなす格子取付部６ｂを屈曲形成し、上記格子取付部６ｂに一定の間隔をおいて横格子３を取付ビス１６によって固定するとともに、上記格子取付部材６には上記取付ビス１６の頭部を覆う塞ぎ材１７を取り付けた。なお、上記格子取付部材６の上記横格子３に対応する位置に水平の切欠き１１を設け、この切欠き１１から挿通した取付ビス１６によって横格子３を固定するのが好ましい。【選択図】図４
2008184839.tif 000002
【特許請求の範囲】
【請求項１】
設置面に立設された支柱のうち隣り合う支柱の相対する側面に、その長手方向に沿って格子取付部材を固定し、該格子取付部材から上記隣り合う支柱の正面側に同一面をなす格子取付部を屈曲形成し、上記格子取付部に一定の間隔をおいて横格子を取付ビスによって固定するとともに、上記格子取付部材には上記取付ビスの頭部を覆う塞ぎ材を取り付けたことを特徴とするフェンス。
【請求項２】
上記格子取付部材の上記横格子に対応する位置に水平の切欠きを設け、この切欠きから挿通した取付ビスによって横格子を固定したことを特徴とする、請求項１に記載のフェンス。
【請求項３】
上記格子取付部と塞ぎ材には互いに係止可能な係止部と係止受け部とを形成したことを特徴とする、請求項１に記載のフェンス。
【請求項４】
設置面に立設された支柱のうち隣り合う支柱の相対する側面に、その長手方向に沿って格子取付部材を固定し、該格子取付部材から上記支柱の正面側に同一面をなすように屈曲形成された格子取付部に横格子に対応する位置に設けられた水平の切欠きに、横格子の一方の端部に仮止めした取付ビスを係合して保持しておき、他方の端部を他方の格子取付部の切欠き部から挿通した取付ビスによって固定し、その後再び上記一方の取付ビスを本締めして固定し、その後、上記格子取付部材に上記取付ビスを外側から隠す塞ぎ材を取り付けることを特徴とするフェンスの取り付け方法。
【発明の詳細な説明】
【技術分野】
【０００１】
本発明は、地面に立設された支柱に対して複数の横格子を平行に取り付けた構成のフェンス及びその取り付け方法に関する。
【背景技術】
【０００２】
一般に、並設された支柱に多数の横格子を固定してなるフェンスとして、最近は幅狭の横格子を多数使用して全体として繊細なデザインとしたものが提案実施されている。
【０００３】
このようなフェンスは、まず設置面に立設された支柱の長手方向に沿って小さな間隔で多数の取付金具を固定しておき、さらに左右の支柱の取付金具に取付ビスにより横格子を固定することによって施工されている。このようなフェンス構成によれば、道路側からはビスも取付金具も隠れて見えず、横格子と支柱とが見えるだけであるから、上記フェンスの外観は上述のように繊細で洗練されたデザインのものとして現われる。
【発明の開示】
【発明が解決しようとする課題】
【０００４】
しかしながら、上記デザインは幅狭の横格子を小さな間隔で配設することによって得られるものであり、また横格子１本に対する取付ビスは両端に各１個ずつ必要となるから、施工にあたって使用する取付金具の数が非常に多く、使用するビスも大量に必要であるから、作業に手間がかかった。また、使用する取付金具が多数で、取付作業に手間がかかるため、コストも高いものにならざるを得なかった。さらに、敷地内側から取付金具や取付ビスが露出するので、見栄えがあまりよくなかった。
【０００５】
さらに、一人で各横格子のビス止め作業をしなければならないときは、横格子を水平状態に保ってビス止めすることはできない。横格子の一端を一方の支柱にビス止めしているときは、横格子の他端は水平となるように保持しておくことができず、下に垂れたままとしておき、これを水平に上げてから取付ビスを打つことになり、作業が面倒であった。
【０００６】
本発明は上記問題点を解消し、施工性がよく、コストも低くできるとともに、見栄えもよいフェンスを提供することをその第１の課題とする。
【０００７】
また、本発明は横格子を簡単、迅速かつ確実に取り付けることができるフェンスの取り付け方法を提供することをその第２の課題とする。
【課題を解決するための手段】
【０００８】
上記課題を解決するため、請求項１に係る発明は、設置面に立設された支柱のうち隣り合う支柱の相対する側面に、その長手方向に沿って格子取付部材を固定し、該格子取付部材から上記隣り合う支柱の正面側に同一面をなす格子取付部を屈曲形成し、上記格子取付部に一定の間隔をおいて横格子を取付ビスによって固定するとともに、上記格子取付部材には上記取付ビスの頭部を覆う塞ぎ材を取り付けたことを特徴とする。
【０００９】
請求項２に係る発明は、請求項１において、上記格子取付部材の上記横格子に対応する位置に水平の切欠きを設け、この切欠きから挿通した取付ビスによって横格子を固定したことを特徴とする。
【００１０】
請求項３に係る発明は、請求項１において、上記格子取付部と塞ぎ材には互いに係止可能な係止部と係止受け部とを形成したことを特徴とする。
【００１１】
請求項４に係る発明は、設置面に立設された支柱のうち隣り合う支柱の相対する側面に、その長手方向に沿って格子取付部材を固定し、該格子取付部材から上記支柱の正面側に同一面をなすように屈曲形成された格子取付部に横格子に対応する位置に設けられた水平の切欠きに、横格子の一方の端部に仮止めした取付ビスを係合して保持しておき、他方の端部を他方の格子取付部の切欠き部から挿通した取付ビスによって固定し、その後再び上記一方の取付ビスを本締めして固定し、その後、上記格子取付部材に上記取付ビスを外側から隠す塞ぎ材を取り付けることを特徴とする。
【発明の効果】
【００１２】
請求項１に係る発明は、設置面に立設された支柱のうち隣り合う支柱の相対する側面に、その長手方向に沿って格子取付部材を固定し、該格子取付部材から上記隣り合う支柱の正面側に同一面をなす格子取付部を屈曲形成し、上記格子取付部に一定の間隔をおいて横格子を取付ビスによって固定するとともに、上記格子取付部材には上記取付ビスの頭部を覆う塞ぎ材を取り付けたものであるから、隣り合う支柱にそれぞれ格子取付部材を取り付けただけで、上記支柱間に配置される全ての横格子を取り付けることができる。したがって、施工時間が大幅に短縮できるとともに、コストも低減できるとともに、見栄えもよいフェンスを提供することができる。また、横格子の交換も簡単に行うことができる。
【００１３】
請求項２に係る発明によれば、上記格子取付部材の上記横格子に対応する位置に水平の切欠きを設け、この切欠きから挿通した取付ビスによって横格子を固定したから、横格子の取付けにあたって、格子取付部の切欠きに、横格子の一方の端部に仮止めした取付ビスを係合して保持しておき、他方の端部を他方の格子取付部の切欠き部から挿通した取付ビスによって固定し、その後再び上記一方の取付ビスを本締めして固定し、さらに上記格子取付部材に上記取付ビスを外側から隠す塞ぎ材を取り付けることができる。したがって、作業員が一人でも施工可能であり、施工時間が大幅に短縮できる。
【００１４】
請求項３に係る発明によれば、上記格子取付部と塞ぎ材には互いに係止可能な係止部と係止受け部とを形成したから、塞ぎ材を簡単に取り付けることができるとともに、横格子を固定したビスの頭部を隠して外観、体裁をよくすることができる。
【００１５】
また、請求項４に係る発明によれば、格子取付部の切欠きに、横格子の一方の端部に仮止めした取付ビスを係合して保持しておき、他方の端部を他方の格子取付部の切欠き部から挿通した取付ビスによって固定し、その後再び上記一方の取付ビスを本締めして固定し、さらに上記格子取付部材に上記取付ビスを外側から隠す塞ぎ材を取り付けることができるから、作業員が一人であっても、横格子を簡単、迅速かつ確実に取り付けることができる。
【発明を実施するための最良の形態】
【００１６】
図１は本発明に係るフェンスの正面図、図２は図１のＸ−Ｘ線上の拡大断面図、図３は図１のＹ−Ｙ線上の拡大断面図であり、図４は上記フェンスの要部の拡大背面図である。
【００１７】
上記フェンスは、設置面１に立設された支柱２間に複数の横格子３を平行に固定したもので、支柱２の下部には断面コ字形の補強芯材４が内装され、地中に埋設されている。支柱２の上端にはキャップ５が取り付けられている。
【００１８】
上記横格子３は格子取付部材６を介して支柱２に取り付けられている。すなわち、格子取付部材６は、支柱２の上端から下端に至る横格子取付範囲とほぼ同じ長さの一枚のアルミニウム押出型材によって構成され、支柱２に固定される固定部６ａと横格子３を取り付ける格子取付部６ｂとを略直角に屈曲した板状の部材で、固定部６ａの幅方向の先端には鉤形の第１の係止受け部７が形成され、格子取付部６ｂの幅方向の先端には内側に突出する第２の係止受け部８が形成されている。第１の係止受け部７と第２の係止受け部８の先端には係止顎が形成されている。なお、格子取付部材６の屈曲部の内側にはビスホール１０が形成されている。
【００１９】
また、上記格子取付部材６の格子取付部６ｂには、図４〜図６に示されるように、一定の間隔、つまり横格子３を取り付ける上下の取付部間の間隔毎に水平の切欠き１１が形成されている。各切欠き１１は第２の係止受け部８を含む格子取付部６ｂの先端に開口している。
【００２０】
上記格子取付部材６の固定部６ａは、隣り合う支柱２の相対する側面にビス止め固定されている。固定用のビス１２は適宜の間隔でねじ込めばよい。これにより、隣り合う支柱２の相対する側面１３には、それぞれ格子取付部材６が取り付けられ、また支柱２の正面１４側には格子取付部６ｂが同一面をなすように配置される。
【００２１】
次に、横格子３は断面が略方形の真直状部材で、アルミニウム押出型材によって構成されている。横格子３の両端には樹脂製のキャップ１５を取り付けておく。そして、横格子３は格子取付部材６の所定の位置に配置され、格子取付部材６の切欠き１１から挿通した取付ビス１６によって格子取付部６ｂに固定されている。
【００２２】
さらに、格子取付部材６には取付ビス１６を外側から隠す塞ぎ材１７が取り付けられている。塞ぎ材１７はアルミニウム押出型材製の板状部材で、両側縁部は互いに直角をなすように形成されている。そして、一方の側端には第１の係止部１８が形成され、他方の側端には第２の係止部１９が形成されている。第１の係止部１８は、格子取付部材６の第１の係止受け部７に対応するように内側に折曲している。第１の係止部１８と第２の係止部１９には係止顎が形成されている。なお、塞ぎ材１７の中央部の内側にもビスホール２０が形成されている。
【００２３】
上記塞ぎ材１７は第１の係止部１８を格子取付部材６の第１の係止受け部７に係止させた状態で、第２の係止部１９を格子取付部材６の第２の係止受け部８に係止させることによって係止固定されている。また格子取付部材６とカバー材の上端には、それぞれのビスホール１０、２０を利用して共通のキャップが取り付けられている。
【００２４】
上述のように、隣り合う支柱２にそれぞれ格子取付部材６を取り付けただけで、上記支柱２間に配置される全ての横格子３を取り付けることができる。したがって、施工時間が大幅に短縮できるとともに、コストも低減できるとともに、見栄えもよいフェンスを提供することができる。また、横格子３の交換も簡単に行うことができる。
【００２５】
また、塞ぎ材１７を簡単に取り付けることができるとともに、横格子３を固定したビスの頭部を隠して外観、体裁をよくすることができる。
【００２６】
次に、設置面１に立設された支柱２間に複数の横格子３を平行に固定する場合の取付方法について詳しく説明すると、まず、格子取付部材６を上述の要領で固定する。これにより、隣り合う支柱２の相対する側面には、それぞれ格子取付部材６が取り付けられ、また支柱２の正面側には格子取付部６ｂが同一面をなすように配置される。
【００２７】
そこで、横格子３の一端に取付ビス１６を仮止めしておき、格子取付部材６から上記支柱２の正面側に同一面をなすように屈曲形成された格子取付部６ｂに横格子３に対応する位置に設けられた水平の切欠き１１に、横格子３の上記取付ビス１６を係合して保持しておき、他方の端部を他方の格子取付部６ｂの切欠き１１から挿通した取付ビス１６によって固定する。このようにして全ての横格子３を格子取付部材６に仮止め状態とした後、再び仮止めしておいた上記一方の取付ビス１６を本締めして固定する。さらにその後、上記格子取付部材６に上記取付ビス１６を外側から隠す塞ぎ材１７を取り付ければよい。最後にキャップ５を取り付けることによって作業は完了する。
【００２８】
なお、横格子３を交換するときは、取付ビス１６を外せば簡単に横格子３が外れ、新しい横格子３を取付ビス１６によって格子取付部６ｂに固定すればよいので、作業は容易に行うことができる。
【００２９】
上述のように、格子取付部６ｂの切欠き１１に、横格子３の一方の端部に仮止めした取付ビス１６を係合して保持しておき、他方の端部を他方の格子取付部６ｂの切欠き１１から挿通した取付ビス１６によって固定し、その後再び上記一方の取付ビス１６を本締めして固定し、さらに上記格子取付部材６に上記取付ビス１６を外側から隠す塞ぎ材１７を取り付けることができるから、作業員が一人であっても、横格子３を簡単、迅速かつ確実に取りつけることができる。
【００３０】
なお、格子取付部と塞ぎ材には互いに係止可能な係止部と係止受け部とを形成すればよく、どちらに係止部又は係止受け部を形成してもよい。また、係止部と係止受け部の構成も上記実施形態に限定されない。係止溝と係止縁のように、他の係止形態でもよい。
【００３１】
また、格子取付部材の格子取付部に設ける切欠きは溝状に形成されるものに限定されない。たとえば長円状の穴でもよい。
【図面の簡単な説明】
【００３２】
【図１】本発明に係るフェンスの正面図、図２は図１のＸ−Ｘ線上の拡大断面図
【図２】図１のＸ−Ｘ線上の拡大断面図
【図３】図１のＹ−Ｙ線上の拡大断面図
【図４】上記フェンスの要部の拡大背面図
【図５】要部の拡大断面図
【図６】要部の斜視図
【符号の説明】
【００３３】
２    支柱
３  横格子
６    格子取付部材
６ｂ  格子取付部
１１  切欠き
１７    塞ぎ材
【図１】
2008184839.tif 000003
【図２】
2008184839.tif 000004
【図３】
2008184839.tif 000005
【図４】
2008184839.tif 000006
【図５】
2008184839.tif 000007
【図６】
2008184839.tif 000008